【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
内部に一対の電極が配置される発光部を有する発光管と、
前記発光部から出射された光束を反射させる反射鏡と、
前記反射鏡の光出射前側に設けられ、前記発光管を囲む筒体と、
前記筒体に接続されて、内部に形成される第１流路及び第２流路にそれぞれ空気を導く一対のダクトと、
空気を前記第１流路及び前記第２流路の一方に流通させる流路切替機構と、を備え、
前記筒体には、
当該筒体の内外を連通し、前記第１流路及び前記第２流路を辿って流通した空気を前記発光部に向けてそれぞれ送風する一対の連通口が形成され、
前記一対の連通口は、
前記発光管の中心線に沿う方向から見た場合に、前記中心線を通り、鉛直方向及び水平方向に交差する仮想線上にそれぞれ設けられている
ことを特徴とする光源装置。
【請求項２】
請求項１に記載の光源装置において、
前記筒体は、
筒状の筒体本体と、
前記筒体本体内部に前記連通口毎に設けられる中空状の中空部と、を備え、
前記連通口は、
前記筒体本体に形成され、前記筒体外部と前記中空部内部とを連通する第１連通口と、
前記中空部における光出射後側の側壁部に形成され、前記中空部内部の空気を前記発光部に向けて送風する第２連通口と、を有する
ことを特徴とする光源装置。
【請求項３】
請求項１に記載の光源装置において、
前記筒体には、
前記連通口毎に、前記連通口を介して前記筒体内部に導入される空気を前記発光部に向けて整流する整流部材が自重により回動可能に取り付けられ、
２つの前記整流部材は、
一対の第１整流板及び第２整流板でそれぞれ構成されている
ことを特徴とする光源装置。
【請求項４】
請求項３に記載の光源装置において、
前記筒体は、
筒状の筒体本体と、
前記筒体本体内部に前記連通口毎に設けられ、前記整流部材を自重により回動可能に収納する収納部と、を備え、
前記連通口は、
前記筒体本体に形成され、前記筒体外部と前記収納部内部とを連通する第１連通口と、
前記収納部における光出射後側の側壁部に形成され、前記収納部内部の空気を前記発光部に向けて送風する第２連通口と、を有する
ことを特徴とする光源装置。
【請求項５】
請求項４に記載の光源装置において、
前記第１整流板及び前記第２整流板は、
前記収納部に対して、前記第１連通口から離間する側の各一端が前記中心線に平行となる各回動軸を中心として回動可能にそれぞれ軸支され、
前記筒体には、
前記第１整流板及び前記第２整流板の回動を規制する回動規制部が設けられ、
前記回動規制部は、
前記第１整流板及び前記第２整流板が前記中心線よりも上方側に位置した際に、前記第１整流板及び前記第２整流板における前記第１連通口に近接する側の各他端間が前記各一端間よりも離間寸法が大きくなるように前記第１整流板及び前記第２整流板の回動を規制する
ことを特徴とする光源装置。
【請求項６】
請求項１から請求項５のいずれかに記載の光源装置において、
前記一対のダクトは、
前記筒体外面に取り付けられ、前記筒体の周方向に沿って延びる形状を有し、前記筒体外面との間で前記第１流路及び前記第２流路を形成するカバー部材で構成されている
ことを特徴とする光源装置。
【請求項７】
光源装置と、前記光源装置から出射された光束を変調する光変調装置と、前記光変調装置にて変調された光束を投射する投射光学装置とを備えたプロジェクターであって、
前記光源装置は、
請求項１から請求項６のいずれかに記載の光源装置である
ことを特徴とするプロジェクター。
【請求項８】
請求項７に記載のプロジェクターにおいて、
前記光源装置、前記光変調装置及び前記投射光学装置を内部に収納する外装筐体を備え、
前記一対の連通口のいずれか一方は、
前記投射光学装置による前記光束の投射方向が略水平に沿い、かつ、前記投射方向に直交する前記外装筐体のいずれかの外面が鉛直方向上側を向く場合と、
前記投射方向が略水平に沿い、かつ、前記外面が鉛直方向下側を向く場合と、
前記投射方向が鉛直方向上側を向く場合と、
前記投射方向が鉛直方向下側を向く場合とのそれぞれにて、前記中心線に沿う方向から見た場合に、前記中心線に対して鉛直方向上側で、かつ、水平方向にずれた位置に配置される
ことを特徴とするプロジェクター。
【手続補正２】
【補正対象書類名】明細書
【補正対象項目名】０００７
【補正方法】変更
【補正の内容】
【０００７】
本発明の光源装置は、内部に一対の電極が配置される発光部を有する発光管と、前記発光部から出射された光束を反射させる反射鏡と、前記反射鏡の光出射前側に設けられ、前記発光管を囲む筒体と、前記筒体に接続されて、内部に形成される第１流路及び第２流路にそれぞれ空気を導く一対のダクトと、空気を前記第１流路及び前記第２流路の一方に流通させる流路切替機構と、を備え、前記筒体には、当該筒体の内外を連通し、前記第１流路及び前記第２流路を辿って流通した空気を前記発光部に向けてそれぞれ送風する一対の連通口が形成され、前記一対の連通口は、前記発光管の中心線に沿う方向から見た場合に、前記中心線を通り、鉛直方向及び水平方向に交差する仮想線上にそれぞれ設けられていることを特徴とする。
【手続補正３】
【補正対象書類名】明細書
【補正対象項目名】００１０
【補正方法】変更
【補正の内容】
【００１０】
本発明の光源装置では、前記筒体は、筒状の筒体本体と、前記筒体本体内部に前記連通口毎に設けられる中空状の中空部と、を備え、前記連通口は、前記筒体本体に形成され、前記筒体外部と前記中空部内部とを連通する第１連通口と、前記中空部における光出射後側の側壁部に形成され、前記中空部内部の空気を前記発光部に向けて送風する第２連通口と、を有することが好ましい。
本発明では、連通口が上述した第１，第２連通口を備え、第２連通口が中空部における光出射後側の側壁部に形成されているので、発光部上部に向けて空気を整流する機能を中空部に付加することができる。
このため、中空部に上記整流機能を付加することで、発光部上部に確実に空気を送風でき、発光管の長寿命化がさらに図れる。
【手続補正４】
【補正対象書類名】明細書
【補正対象項目名】００１３
【補正方法】変更
【補正の内容】
【００１３】
本発明の光源装置では、前記筒体は、筒状の筒体本体と、前記筒体本体内部に前記連通口毎に設けられ、前記整流部材を自重により回動可能に収納する収納部と、を備え、前記連通口は、前記筒体本体に形成され、前記筒体外部と前記収納部内部とを連通する第１連通口と、前記収納部における光出射後側の側壁部に形成され、前記収納部内部の空気を前記発光部に向けて送風する第２連通口と、を有することが好ましい。
本発明では、連通口が上述した第１，第２連通口を備え、第２連通口が収納部における光出射後側の側壁部に形成されているので、整流部材を自重により回動可能に収納する機能の他、整流部材とともに発光部上部に向けて空気を整流する機能をも収納部に付加することができる。
このため、収納部に上記整流機能を付加することで、発光部上部に確実に空気を送風でき、発光管の長寿命化がさらに図れる。
【手続補正５】
【補正対象書類名】明細書
【補正対象項目名】００１７
【補正方法】変更
【補正の内容】
【００１７】
本発明のプロジェクターは、光源装置と、前記光源装置から出射された光束を変調する光変調装置と、前記光変調装置にて変調された光束を投射する投射光学装置とを備えたプロジェクターであって、前記光源装置は、上述した光源装置であることを特徴とする。
本発明では、プロジェクターは、上述した光源装置を備えるので、上述した光源装置と
同様の作用及び効果を享受できる。
本発明のプロジェクターでは、前記光源装置、前記光変調装置及び前記投射光学装置を内部に収納する外装筐体を備え、前記一対の連通口のいずれか一方は、前記投射光学装置による前記光束の投射方向が略水平に沿い、かつ、前記投射方向に直交する前記外装筐体のいずれかの外面が鉛直方向上側を向く場合と、前記投射方向が略水平に沿い、かつ、前記外面が鉛直方向下側を向く場合と、前記投射方向が鉛直方向上側を向く場合と、前記投射方向が鉛直方向下側を向く場合とのそれぞれにて、前記中心線に沿う方向から見た場合に、前記中心線に対して鉛直方向上側で、かつ、水平方向にずれた位置に配置されることが好ましい。